(57)【要約】【課題】患者の体重の入力を簡易的に行うことを可能にし、もって、緊急性の高い手技にも十分に対応可能な利便性に優れる送液ポンプの提供。【解決手段】患者に薬剤を送液する送液ポンプであって、患者の体重の入力を受け付ける入力部と、入力部が受け付けた体重に基づいて薬剤を送液する際の流量を計算する流量計算部と、流量計算部が計算した流量に基づいて薬剤を患者に送液する送液部と、を有し、入力部は、患者の体重を特定する選択肢をユーザーに提示して体重の入力を受け付ける簡易入力モードを備える送液ポンプ。【選択図】図３
2015181555.tif 000002
【特許請求の範囲】
【請求項１】
患者に薬剤を送液する送液ポンプであって、
前記患者の体重の入力を受け付ける入力部と、
前記入力部が受け付けた前記体重に基づいて前記薬剤を送液する際の流量を計算する流量計算部と、
前記流量計算部が計算した前記流量に基づいて前記薬剤を前記患者に送液する送液部と、を有し、
前記入力部は、前記患者の体重を特定する選択肢をユーザーに提示して前記体重の入力を受け付ける簡易入力モードを備えることを特徴とする送液ポンプ。
【請求項２】
前記入力部は、性別を区分する選択肢、年齢を区分する選択肢及び身体的特徴を区分する選択肢のうちの少なくとも１つを提示する請求項１に記載の送液ポンプ。
【請求項３】
前記入力部は、体重の候補をそれぞれ示す複数の数値を前記選択肢として少なくとも提示する請求項１または請求項２に記載の送液ポンプ。
【請求項４】
前記入力部は、前記選択肢の選択によって特定される前記体重について、所定の調整幅に基づいた調整を受け付け可能に構成される請求項１〜３のいずれか１つに記載の送液ポンプ。
【請求項５】
前記入力部は、前記体重の入力を前記薬剤の送液中に受け付け可能に構成され、
前記流量計算部は、前記薬剤の送液中において前記入力部が受け付けた前記体重に基づいて前記流量を再計算し、
前記送液部は、前記流量計算部が前記薬剤の送液中に再計算した結果に基づいて前記薬剤を前記患者に送液する際の前記流量を変更する請求項１〜４のいずれか１つに記載の送液ポンプ。
【請求項６】
前記流量計算部が計算した前記流量が所定の上限値を超えたことを報知する報知部をさらに有する請求項１〜５のいずれか１つに記載の送液ポンプ。
【請求項７】
前記入力部は、前記患者の前記体重を特定する数値の入力を受け付ける詳細入力モードをさらに備える請求項１〜６のいずれか１つに記載の送液ポンプ。
【請求項８】
当該送液ポンプは、シリンジポンプであることを特徴とする請求項１〜７のいずれか１つに記載の送液ポンプ。
【発明の詳細な説明】
【技術分野】
【０００１】
本発明は、薬剤を患者の体内に送液するために用いられる送液ポンプに関する。
【背景技術】
【０００２】
患者に対する抗癌剤、麻酔剤、化学療法剤、血液製剤、栄養剤等の薬剤の送液処置を行う装置として医療用ポンプがある。医療用ポンプは、例えば、集中治療室（ＩＣＵ）等で使用される。高精度かつ長時間に亘って送液を行う医療用ポンプとして、例えば、シリンジポンプや輸液ポンプなどがある。
【０００３】
薬剤の送液では、薬剤の効能が適切に発現するように注入速度（流量）を適切に調節する必要がある。医療用ポンプを使用した薬剤の送液では、薬剤の送液開始前に注入速度を医療用ポンプに設定する必要がある。注入速度の設定方法は医療用ポンプによって異なる。医療用ポンプの中には、注入速度を直接指定して薬剤を送液する機能に加えて、所定のパラメーターに基づいて注入速度を自動で計算して薬剤を送液する機能を備えたものがある。注入速度が自動で計算されることによって、注入速度が誤って設定されることを防止できる。
【０００４】
しかしながら、注入速度を自動で計算する機能を備えた医療用ポンプを使用するためには、送液開始前に注入速度の計算に必要な複数のパラメーターを医療用ポンプに入力する必要がある。パラメーターとして、体重当たりの注入速度、患者の体重、薬剤量及び溶液量を入力する医療用ポンプが広く使用されている。これらのパラメーターは、医療用ポンプが備えるディスプレイの表示を見ながら、キーやダイヤルを操作して入力するのが一般的である。これらのパラメーターの入力作業には一定の時間を要するため、薬剤の送液を迅速に開始できないという問題がある。医療用ポンプは、緊急性の高い手技に使用されることも多く、薬剤の送液を迅速に開始できないことの影響は大きい。この問題を回避するために、キー操作やディスプレイの表示等を工夫することにより、パラメーターの入力を高速化する入力システムが知られている（例えば、特許文献１参照）。
【先行技術文献】
【特許文献】
【０００５】
【特許文献１】特表２００９−５１６３０２号公報
【発明の概要】
【発明が解決しようとする課題】
【０００６】
薬剤の送液を開始する時点で、上記のパラメーターのうち、体重当たりの注入速度、薬剤量及び溶液量は正確な値が分かっている場合が多いが、患者の体重は正確に分からない場合がある。特に、緊急性が高い手技の場合、患者の体重を正確に計測できないことが多い。このような場合、患者の外観的な特徴などから決定される暫定的な体重を入力して薬剤の送液が開始されることがある。
【０００７】
しかしながら、特許文献１に記載した入力システムを備えた医療用ポンプでは、暫定的な体重を入力して薬剤の送液を迅速に開始するという使用方法は想定されておらず、体重を複数桁の数値として桁ごとに細かく入力していく必要がある。従って、緊急性の高い手技に十分対応できない。
【０００８】
そこで、本発明は上記課題を解決するためになされたものであり、患者の体重の入力を簡易的に行うことを可能にし、もって、緊急性の高い手技にも十分に対応可能な利便性に優れる送液ポンプを提供することである。
【課題を解決するための手段】
【０００９】
上記目的を達成するための送液ポンプは、患者に薬剤を送液する送液ポンプであって、前記患者の体重の入力を受け付ける入力部と、前記入力部が受け付けた前記体重に基づいて前記薬剤を送液する際の流量を計算する流量計算部と、前記流量計算部が計算した前記流量に基づいて前記薬剤を前記患者に送液する送液部と、を有し、前記入力部は、前記患者の体重を特定する選択肢をユーザーに提示して前記体重の入力を受け付ける簡易入力モードを備える。
【発明の効果】
【００１０】
本発明に係る送液ポンプは、患者の体重を特定する選択肢をユーザーに提示して体重の入力を受け付ける簡易入力モードを備える入力部を有することにより、患者の体重の入力を簡易的に行うことを可能にする。このため、本発明によれば、緊急性の高い手技にも十分に対応可能な利便性に優れる送液ポンプを提供できる。
【００１１】
また、性別を区分する選択肢、年齢を区分する選択肢及び身体的特徴を区分する選択肢のうちの少なくとも１つを提示するように入力部を構成できる。当該構成により、患者の外観的な特徴に基づいて判断可能な選択肢を選択する簡便な操作で迅速に体重を入力できるため、利便性が向上する。
【００１２】
また、体重の候補をそれぞれ示す複数の数値を選択肢として少なくとも提示するように入力部を構成できる。当該構成により、体重を示す数値を選択する簡便な操作で迅速に体重を入力できるため、利便性が向上する。
【００１３】
また、選択肢の選択によって特定される体重について、所定の調整幅に基づいた調整を受け付けるように入力部を構成できる。当該構成により、選択肢の選択により入力された体重を所定の調整幅ごとに調整することが可能になるため体重の入力を迅速かつ柔軟に行うことができる。
【００１４】
また、患者の体重の入力を薬剤の送液中に受け付けるように入力部を構成できる。また、薬剤の送液中において入力部が受け付けた体重に基づいて流量を再計算するように流量計算部を構成できる。そして、流量計算部が薬剤の送液中に再計算した結果に基づいて薬剤を患者に送液する際の流量を変更するように送液部を構成できる。当該構成により患者の体重を薬剤の送液中に変更できるため、安全性及び利便性が向上する。
【００１５】
また、当該送液ポンプは、流量計算部が計算した流量が所定の上限値を超えたことを報知する報知部をさらに有することができる。当該構成により、流量計算部が計算する流量が所定の上限を超えるような入力が防止されて安全性が向上する。
【００１６】
また、患者の体重を特定する数値の入力を受け付ける詳細入力モードをさらに備えるように入力部を構成できる。当該構成により、簡易的な体重の入力に加えて、詳細な体重の入力も行えるため利便性が向上する。
【００１７】
また、当該送液ポンプをシリンジポンプとして構成できる。これにより、薬剤を高精度かつ長時間に亘って送液するのに好適に使用することができる。
【図面の簡単な説明】
【００１８】
【図１】本発明の実施形態に係るシリンジポンプを説明するための概観斜視図である。
【図２】本発明の実施形態に係るシリンジポンプを説明するための概観正面図である。
【図３】本発明の実施形態に係るシリンジポンプの表示部を説明するための概観正面図である。
【図４】図４（Ａ）〜（Ｃ）は、本発明の実施形態に係るシリンジポンプに適用するシリンジを説明するための概観斜視図である。
【図５】本発明の実施形態に係るシリンジポンプの電気的な構成を説明するための概略図である。
【図６】図６（Ａ）及び（Ｂ）は、本発明の実施形態に係るシリンジポンプの表示部を説明するための概観正面図であって、薬剤の種類を選択する際の表示例を示す図である。
【図７】本発明の実施形態に係るシリンジポンプの表示部を説明するための概観正面図であって、体重当たりの流量を入力する際の表示例を示す図である。
【図８】本発明の実施形態に係るシリンジポンプの表示部を説明するための概観正面図であって、患者の体重の入力モードを選択する際の表示例を示す図である。
【図９】図９（Ａ）〜（Ｃ）は、本発明の実施形態に係るシリンジポンプの表示部を説明するための概観正面図であって、図９（Ａ）は性別を区分する選択肢、図９（Ｂ）は年齢を区分する選択肢、図９（Ｃ）は身体的特徴を区分する選択肢を表示した際の表示例を示す図である。
【図１０】選択肢の選択結果と体重の関係を例示した表である。
【図１１】図１１（Ａ）及び（Ｂ）は、本発明の実施形態に係るシリンジポンプの表示部を説明するための概観正面図であって、選択肢の選択によって特定される体重を調整する際の表示例を示す図である。
【図１２】本発明の実施形態に係るシリンジポンプの表示部を説明するための概観正面図であって、詳細入力モードにおいて患者の体重を入力する際の表示例を示す図である。
【図１３】本発明の実施形態に係るシリンジポンプの表示部を説明するための概観正面図であって、送液中の表示部の表示例を示す図である。
【図１４】本発明の実施形態に係るシリンジポンプの表示部の変形例を説明するための概観正面図であって、性別の区分と年齢の区分の組み合わせで選択肢を表示した際の表示例を示す図である。
【図１５】図１５（Ａ）及び（Ｂ）は、本発明の実施形態に係るシリンジポンプの表示部の変形例を説明するための概観正面図であって、体重の候補をそれぞれ示す複数の数値を選択肢として表示した際の表示例を示す図である。
【発明を実施するための形態】
【００１９】
以下、図面を参照して、本発明の実施形態を説明する。なお、図面の寸法比率は、説明の都合上誇張されており、実際の比率とは異なる場合がある。
【００２０】
図１及び図２に示す本発明の実施形態に係るシリンジポンプ１は、集中治療室（ＩＣＵ）等において、長時間に亘って患者の体内に薬剤を送液するために使用される送液ポンプである。シリンジポンプ１は、静脈麻酔薬等を含む種々の薬剤を患者の体内に送液することができる。適用可能な静脈麻酔薬の例として、プロポフォール、ミタゾラム、及び、レミフェンタニル等がある。
【００２１】
以下に、シリンジポンプ１の装置構成を詳細に説明する。
【００２２】
図１及び図２に示すように、シリンジポンプ１は、薬剤を充填した、薬剤収納容器としてのシリンジ２００のシリンジ押子２０２をＴ方向に押圧して、シリンジ本体２０１内の薬剤を、チューブ２０３と留置針２０４を介して、患者Ｐに対して正確に送液する。このとき、シリンジ２００のシリンジ本体２０１は、クランプ５によって動かないようにシリンジポンプ１にセットされている。
【００２３】
シリンジポンプ１は、本体カバー２を有する。
【００２４】
本体カバー２は、耐薬品性を有する成型樹脂材料により一体成型されている。これにより、本体カバー２は防沫処理構造を有する。防沫処理構造により、仮に薬剤等がかかってもシリンジポンプ１の内部に侵入するのを防ぐことができる。防沫処理構造を有するのは、シリンジ本体２０１内の薬剤がこぼれたり、周辺で用いる消毒液等が飛散したりして付着することがあるためである。
【００２５】
図１及び図２に示すように、本体カバー２は、上部分２Ａ及び下部分２Ｂを有する。
【００２６】
上部分２Ａには、表示部３と、操作パネル部４が配置されている。
【００２７】
下部分２Ｂには、シリンジ設定部６と、シリンジ押子２０２を押すためのシリンジ押子駆動部７が配置されている。
【００２８】
表示部３は、カラー表示することができる画像表示装置である。表示部３は、例えば、カラー液晶表示装置により構成することができる。表示部３は、日本語表記による情報表記だけでなく、必要に応じて複数の外国語による情報の表示を行うことができる。表示部３は、本体カバー２の上部分２Ａの左上位置であって、シリンジ設定部６とシリンジ押子駆動部７の上側に配置されている。
【００２９】
操作パネル部４は、本体カバー２の上部分において表示部３の右側に配置されている。操作パネル部４には、電源ＯＮ／ＯＦＦボタン４Ｆ、動作インジケータ４Ａ、及び、操作ボタンが配置されている。図１及び図２には、操作ボタンとして、必要最小限の、早送りスイッチボタン４Ｂ、開始スイッチボタン４Ｃ、停止スイッチボタン４Ｄ、メニュー選択ボタン４Ｅ及び決定スイッチボタン４Ｇが５ケ配置されている例を示している。
【００３０】
本体カバー２の上部分２Ａの右端側には、ダイヤル１６０が回転可能に取り付けられている。ダイヤル１６０は、後述するように、種々の情報の入力に使用される。
【００３１】
図１及び図２に示すように、シリンジ設定部６とシリンジ押子駆動部７は、Ｘ方向に沿って並べて配置されている。シリンジ設定部６は、図４を用いて後で説明する複数種類の大きさの異なるシリンジ２００，３００，４００を、選択して着脱可能にはめ込んで固定することができる。
【００３２】
図１及び図２に示すように、シリンジ設定部６は、シリンジ本体２０１を収容する収容部８と、クランプ５を有している。収容部８は、シリンジ本体２０１を収容するために、ほぼ断面半円形形状の凹部であり、Ｘ方向に沿って形成されている。収容部８の端部の壁部分には、チューブ２０３を着脱可能に挟み込むためのチューブ固定部９が形成されている。
【００３３】
クランプ５を操作してシリンジ２００をシリンジ設定部６から取り外す際には、クランプ５を図示しないスプリングの力に抗してＹ１方向（手前方向）に引っ張って、しかもＲ１方向に９０度回すことで、シリンジ本体２０１はクランプ５による固定を解除して、収容部８から取り外すことができる。また、クランプ５を操作してシリンジ２００をシリンジ設定部６に取り付ける際には、クランプ５を図示しないスプリングの力に抗してＹ１方向に引っ張ってＲ２方向に９０度回して、スプリングの力によりＹ２方向に戻すことで、シリンジ本体２０１は収容部８に収容してクランプ５により固定することができる。クランプ５により、２．５ｍＬ，５ｍＬ，１０ｍＬ，２０ｍＬ，３０ｍＬ，５０ｍＬの収容量のシリンジを固定することができるように、シリンジ設定部６の収容部８の右端部８Ｅは一部が切欠部となっている。
【００３４】
シリンジ本体２０１が収容部８内に収容されて固定されると、シリンジ押子２０２がシリンジ押子駆動部７内に配置される。このシリンジ押子駆動部７は、スライダ１０を有している。このスライダ１０は、図２及び図５に示す制御部１００からの指令により、シリンジ押子２０２の押子フランジ２０５を、シリンジ本体２０１に対して相対的にＴ方向に沿って少しずつ押す。
【００３５】
なお、図１及び図２におけるＸ方向、Ｙ方向、Ｚ方向は互いに直交しており、Ｚ方向は上下方向である。
【００３６】
図３は、表示部３の表示例を示す。この表示部３の表示例は、一例であるので、特に限定されない。
【００３７】
図４は、上述した複数種類の大きさのシリンジの例を示す斜視図である。
【００３８】
図１及び図２では、最も薬剤の収容量が大きいシリンジ２００が固定されている例を示している。
【００３９】
図４（Ａ）に示すように、最も薬剤の収容量が大きいシリンジ２００は、シリンジ本体２０１と、シリンジ押子２０２を有しており、シリンジ本体２０１は本体フランジ２０９を有し、シリンジ押子２０２は押子フランジ２０５を有している。シリンジ本体２０１には、薬剤の目盛２１０が形成されている。シリンジ本体２０１の出口部２１１には、フレキシブルなチューブ２０３の一端部が着脱可能に接続される。
【００４０】
図４（Ｂ）に示すように、薬剤の収容量が中くらいのシリンジ３００は、シリンジ本体３０１と、シリンジ押子３０２を有しており、シリンジ本体３０１は本体フランジ３０９を有し、シリンジ押子３０２は押子フランジ３０５を有している。シリンジ本体３０１には、薬剤の目盛３１０が形成されている。シリンジ本体３０１の出口部３１１には、フレキシブルなチューブ２０３の一端部が着脱可能に接続される。
【００４１】
図４（Ｃ）に示すように、最も薬剤の収容量が小さいシリンジ４００は、シリンジ本体４０１と、シリンジ押子４０２を有しており、シリンジ本体４０１は本体フランジ４０９を有し、シリンジ押子４０２は押子フランジ４０５を有している。シリンジ本体４０１には、薬剤の目盛４１０が形成されている。シリンジ本体４０１の出口部４１１には、フレキシブルなチューブ２０３の一端部が着脱可能に接続される。
【００４２】
図４（Ａ）に示すシリンジ２００は、例えば薬剤の収容量が５０ｍＬであり、図４（Ｂ）に示すシリンジ３００は、例えば薬剤の収容量が１０ｍＬ、２０ｍＬ、３０ｍＬであり、図４（Ｃ）に示すシリンジ４００は、例えば薬剤の収容量が２．５ｍＬ、５ｍＬである。シリンジ３００，４００は、図１及び図２に示すシリンジ２００と同様にして、収容部８内に収容して固定して用いることができる。
【００４３】
次に、図５を参照して、図１及び図２に示すシリンジポンプ１の電気的な構成例を詳細に説明する。
【００４４】
図５において、シリンジポンプ１は、全体的な動作の判断、制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。
【００４５】
クロック１０４は、所定の操作により現在時刻の修正ができ、現在時刻の取得や、所定の送液作業の経過時間の計測、送液の速度制御の基準時間の計測等ができる。
【００４６】
図５に示す制御部１００は、電源ＯＮ／ＯＦＦボタン４Ｆと、スイッチ１１１が接続されている。
【００４７】
電源ＯＮ／ＯＦＦボタン４Ｆが押下されると、起動状態切り替えの制御信号が制御部１００に入力される。
【００４８】
スイッチ１１１は、電源コンバータ部１１２と例えばリチウムイオン電池のような充電池１１３を切り換えることで、電源コンバータ部１１２と充電池１１３のいずれかから制御部１００に電源供給する。
【００４９】
電源コンバータ部１１２は、コンセント１１４を介して商用交流電源１１５に接続されている。
【００５０】
図５において、早送りスイッチボタン４Ｂ、開始スイッチボタン４Ｃ、停止スイッチボタン４Ｄ、メニュー選択ボタン４Ｅ及び決定スイッチボタン４Ｇは、制御部１００に電気的に接続されている。開始スイッチボタン４Ｃが押下されると送液開始の制御信号が制御部１００に入力される。また、停止スイッチボタン４Ｄが押下されると送液停止の制御信号が制御部１００に入力される。
【００５１】
図５において、ダイヤル１６０は、制御部１００に電気的に接続されている。ダイヤル１６０が回転されると、回転方向及び回転量に関する情報が制御部１００に入力される。
【００５２】
図５において、表示部ドライバ１３０は、制御部１００に電気的に接続されている。表示部ドライバ１３０は、制御部１００の指令により表示部３を駆動して種々の情報を表示部３に表示する。
【００５３】
図５において、スピーカ１３１は、制御部１００に電気的に接続されている。スピーカ１３１は、制御部１００の指令により各種の警報内容を音声により告知する。
【００５４】
図５において、収容部８内には、一対の検出スイッチ１２０，１２１が配置されている。検出スイッチ１２０，１２１は、シリンジ２００のシリンジ本体２０１が、収容部８に正しく配置されているかどうかを検知して、制御部１００に通知する。
【００５５】
クランプセンサ１２２は、クランプ５の位置状態を検知することで、シリンジ本体２０１がクランプ５により確実にクランプされているかどうかを、制御部１００に通知する。
【００５６】
シリンジ押子駆動部７のモータ１３３は、制御部１００の指令によりモータドライバ１３４により駆動されると、送りネジ１３５を回転させてスライダ１０をＴ方向に移動させる。これにより、スライダ１０は、シリンジ押子２０２をＴ方向に押圧して、図２に示すシリンジ本体２０１内の薬剤を、チューブ２０３を通じて患者Ｐに対して留置針２０４を介して正確に送液する。
【００５７】
不揮発性メモリ１０３は、薬剤ライブラリを記憶する機能を有する。シリンジポンプ１を使用して送液する薬剤には、送液する際の流量（注入速度）の適正値や上限値、又は、薬剤の注入量の適正値や上限値が薬剤の種類ごとに定められている。薬剤を送液する際には、それら適正値又は上限値などの各種パラメーターに従って送液を行う必要がある。薬剤ライブラリは、薬剤の種類に応じて定められている各種パラメーターを記録したファイルである。
【００５８】
不揮発性メモリ１０３への薬剤ライブラリの記憶方法は特に限定されないが、例えば、通信ポート１４０を介して記憶させることができる。すなわち、図５に示すように、通信ポート１４０を介してデスクトップコンピュータのようなコンピュータ１４１と制御部１００を接続する。コンピュータ１４１は、薬剤データベース１５０に接続されている。薬剤データベース１５０には、薬剤ライブラリが保存されている。コンピュータ１４１を操作することで、薬剤データベース１５０に保存された薬剤ライブラリを、通信ポート１４０を介して不揮発性メモリ１０３に記憶させることができる。
【００５９】
制御部１００は、体重当たりの流量（注入速度）、患者Ｐの体重、シリンジ本体２０１に充填された薬剤量及び溶液量から、薬剤を送液する際の流量を計算する機能を有する。体重当たりの流量（注入速度）、患者Ｐの体重、薬剤量及び溶液量の単位は、例えば、それぞれ、μｇ／ｋｇ／ｍｉｎ、ｋｇ、ｍｇ及びｍｌなどである。流量の計算は、公知の方法で行うことができる。
【００６０】
制御部１００は、モータドライバ１３４に指令を出してモータ１３３を駆動することにより、計算した流量に基づいて薬剤の送液を行う。
【００６１】
不揮発性メモリ１０３に記憶する薬剤ライブラリには、薬剤の種類ごとに、流量（注入速度）の適正値や上限値、又は、薬剤の注入量の適正値や上限値が記録されている。薬剤ライブラリに記録されている薬剤の種類の中からシリンジ設定部６にセットした薬剤の種類を選択することで、流量（注入速度）の適正値や上限値、又は、薬剤の注入量の適正値や上限値が制御部１００に入力される。シリンジ設定部６にセットした薬剤の種類は、表示部３の表示内容に従って操作パネル部４及びダイヤル１６０を操作することで選択できる。
【００６２】
図６（Ａ）及び（Ｂ）は、シリンジ設定部６にセットした薬剤の種類を選択する際の表示部３の表示内容例を示す。表示部３は、図６（Ａ）及び（Ｂ）に示すように、薬剤ライブラリに記憶されている薬剤の種類をスクロール式に表示する。図６に示した表示内容例では、ダイヤル１６０を回転させるとカーソル３１が移動する。選択したい薬剤の種類までカーソル３１が移動したら操作パネル部４の決定スイッチボタン４Ｇを押下する。決定スイッチボタン４Ｇが押下されると、押下されたときにカーソル３１が指し示していた薬剤の種類が選択される。
【００６３】
体重当たりの流量は、一般的に、薬剤ごとに添付されている、薬剤の使用方法や注意事項等を記載した文書（以下、薬剤添付文書）に記載されている値が用いられるが、手技の内容や、薬剤を送液する患者Ｐの症状などに応じて医療従事者が適宜決定して入力することもできる。体重当たりの流量は、表示部３の表示内容に従って操作パネル部４及びダイヤル１６０を操作することで、制御部１００に入力することができる。また、薬剤ライブラリに、薬剤の種類ごとに、薬剤添付文書に記載されている適性値を登録しておき、薬剤の種類が選択された際に薬剤ライブラリに登録されている体重当たりの流量を制御部１００に入力することもできる。
【００６４】
図７は、体重当たりの流量を入力する際の表示部３の表示内容例を示す。図７に示した表示内容例に従って操作パネル部４及びダイヤル１６０を操作することで、体重当たりの流量を迅速に入力できる。
【００６５】
シリンジポンプ１では、ダイヤル１６０を近位側に回転すると流量が０．１ｍｃｇ／ｋｇ／ｍｉｎずつ減少し、ダイヤル１６０を遠位側に回転すると流量が０．１ｍｃｇ／ｋｇ／ｍｉｎずつ増加されるが、これに限定されない。
【００６６】
ダイヤル１６０を回転させることにより表示部３に表示される値が適切な値となったら、決定スイッチボタン４Ｇを押下する。決定スイッチボタン４Ｇが押下されると、押下されたときに表示部３に表示されていた値が体重当たりの流量として制御部１００に入力される。
【００６７】
表示部３、操作パネル部４及びダイヤル１６０は、患者Ｐの体重の入力を受け付ける。
【００６８】
患者Ｐの体重は、薬剤の送液を開始する時点で正確に分からない場合がある。特に、緊急性が高い手技の場合、患者Ｐの体重を正確に計測できないことが多い。このような場合、患者Ｐの外観的（身体的）な特徴などから決定される暫定的な体重を入力して薬剤の送液が開始されることがある。しかし、従来の医療用ポンプでは、暫定的な体重であっても複数桁の数値として桁ごとに細かく入力する必要がある。具体的には、小数第一位、一の位、十の位、そして、必要に応じて百の位の各位の数字を、順次入力していく必要がある。従って、体重の入力作業には相当な時間を要する。暫定的な体重を入力して送液開始までの時間を短縮する際に、体重の入力作業に要する時間が大きな障害となっている。
【００６９】
そこで、表示部３、操作パネル部４及びダイヤル１６０は、患者Ｐの体重を特定する選択肢を提示して、患者Ｐの体重の入力を受け付ける簡易入力モードを備える。シリンジポンプ１では、患者Ｐの体重を特定する選択肢は表示部３に表示されるが、これに限定されない。例えば、操作パネル部４又はダイヤル１６０に患者Ｐの体重を特定する選択肢を提示してもよい。
【００７０】
表示部３は、性別を区分する選択肢、年齢を区分する選択肢及び身体的特徴を区分する選択肢を表示する。
【００７１】
図９（Ａ）〜（Ｃ）は、それぞれ、性別を区分する選択肢、年齢を区分する選択肢、そして、身体的特徴を区分する選択肢を表示した際の表示部３の表示内容例を示す。図９に示した表示内容例に従って操作パネル部４及びダイヤル１６０を操作することによって、選択肢の選択を迅速に行うことができる。
【００７２】
図９（Ａ）及び（Ｂ）に示す性別の区分及び年齢の区分の選択では、ダイヤル１６０を回転させることでカーソル３１が上下に移動する。選択したい選択肢にカーソル３１を合わせた状態で、操作パネル部４の決定スイッチボタン４Ｇ（図１及び図２参照）を押下すると選択肢が選択される。
【００７３】
図９（Ｃ）に示すように、シリンジポンプ１では、身体的特徴の区分の選択肢は、身長の区分と体型の区分の組み合わせで構成される。例えば、図９（Ｃ）に示す状態では、カーソル３１は、身長の区分と体型の区分の組み合わせとして（中，普通）を指し示している。
【００７４】
図９（Ｃ）に示す状態でダイヤル１６０を回転させることにより、カーソル３１は矢印の順に移動する。図９（Ｃ）に示した状態でダイヤル１６０を近位側に回転させると、カーソル３１は、（低，普通）、（高，痩身）、そして、（中，痩身）の順に進んでいく。また、ダイヤル１６０を遠位側に回転させると、カーソル３１は、（高，普通）、（低，肥満）、そして、（中，肥満）の順に進んでいく。選択したい選択肢にカーソル３１を合わせた状態で、決定スイッチボタン４Ｇを押下すると選択肢が選択される。
【００７５】
図１０は、シリンジポンプ１における選択肢の選択結果と体重の関係を示す表である。選択肢の選択結果と体重の関係は、適宜設定し得る。例えば、シリンジポンプ１が使用される国や地域に応じて設定してもよい。
【００７６】
表示部３、操作パネル部４及びダイヤル１６０は、選択肢の選択によって特定される体重について、所定の調整幅に基づいた調整を受け付ける。
【００７７】
図１１（Ａ）及び（Ｂ）は、所定の調整幅に基づいて調整を受け付ける際の表示部３の表示内容例を示す。表示部３の表示内容に従って操作パネル部４及びダイヤル１６０を操作することで、体重を迅速に調整することができる。図１１に示した表示内容例では、ダイヤル１６０を近位側に回転させると、５ｋｇずつ体重を減少させることができる。また、ダイヤル１６０を遠位側に回転させると、５ｋｇずつ体重を増加させることができる。
【００７８】
調整幅は任意に設定できる。調整幅として、例えば、１．０ｋｇ、２．５ｋｇ、５．０ｋｇ、１０．０ｋｇを選択することができる。
【００７９】
調整幅は可変であってもよい。例えば、選択肢の選択によって特定される体重の値に応じて調整幅を変更してもよい。
【００８０】
例えば、体重が３０ｋｇ以下は、調整幅を１．０ｋｇとし、３０ｋｇ以上５０ｋｇ未満は、調整幅を２．５ｋｇとし、体重が５０ｋｇ以上７０ｋｇ未満は調整幅を５．０ｋｇとし、体重が７０ｋｇ以上は調整幅を１０．０ｋｇとしてもよい。
【００８１】
また、選択肢の選択結果に応じて調整幅を変更することもできる。例えば、次のように調整幅を設定してもよい。すなわち、年齢の区分として大人を選択した場合には調整幅を１０．０ｋｇとし、年齢の区分として子供を選択した場合には調整幅を５．０ｋｇとしてもよい。
【００８２】
ダイヤル１６０を回転させることにより表示部３に表示される値が適切な値となったら、操作パネル部４の決定スイッチボタン４Ｇを押下する。決定スイッチボタン４Ｇが押下されると、押下されたときに表示部３に表示されていた値が調整後の患者Ｐの体重として制御部１００に入力される。
【００８３】
表示部３、操作パネル部４及びダイヤル１６０は、患者Ｐの体重を特定する数値の入力を受け付ける詳細入力モードをさらに備える。
【００８４】
図１２は、詳細入力モードにおいて体重を入力する際の表示部３の表示内容例を示す。図１２に示す表示内容例に従って操作パネル部４及びダイヤル１６０を操作することで、患者Ｐの体重を詳細に入力することができる。
【００８５】
シリンジポンプ１では、ダイヤル１６０を近位側に回転させると０．１ｋｇずつ体重が減少し、ダイヤル１６０を遠位側に回転させると０．１ｋｇずつ体重が増加するが、これに限定されない。
【００８６】
ダイヤル１６０を回転させることにより表示部３に表示される値が適切な値となったら、操作パネル部４の決定スイッチボタン４Ｇを押下する。決定スイッチボタン４Ｇが押下されると、押下されたときに表示部３に表示されていた値が患者Ｐの体重として制御部１００に入力される。
【００８７】
患者Ｐの体重を入力する際の入力モードの選択は、表示部３の表示内容に従って操作パネル部４及びダイヤル１６０を操作することで選択することができる。
【００８８】
図８は、体重の入力モードを選択する際の表示部３の表示内容例を示す。図８に示す表示内容例では、ダイヤル１６０を回転させるとカーソル３１が移動する。選択したい入力モードまでカーソル３１が移動したら操作パネル部４の決定スイッチボタン４Ｇを押下する。決定スイッチボタン４Ｇが押下されると、押下されたときにカーソル３１が指し示していた入力モードが選択される。
【００８９】
表示部３及びスピーカ１３１は、体重当たりの流量、患者Ｐの体重、シリンジ本体２０１に充填された薬剤量及び溶液量から制御部１００が計算した流量が所定の上限値を超えたことを報知する報知部としての機能を有する。表示部３は、警告メッセージを表示することにより、計算した流量が所定の上限値を超えたことを報知する。スピーカ１３１は、ブザー音を発することにより、計算した流量が所定の上限値を超えたことを報知する。
【００９０】
上限値は、薬剤の種類ごとに定められている流量の上限値や適正値とすることができる。薬剤の種類ごとに定められている流量の上限値や適正値は、不揮発性メモリ１０３に記憶される薬剤ライブラリに記録されている。
【００９１】
また、シリンジポンプ１のポンプとしての出力の限界を上限値とすることもできる。シリンジポンプ１のポンプとしての出力の限界は、例えば、モータ１３３の最大出力等によって決まる。
【００９２】
計算した流量が所定の上限値を超えたことが報知された後、表示部３、操作パネル部４及びダイヤル１６０は、患者Ｐの体重の入力を再度受け付ける。
【００９３】
制御部１００は、体重当たりの流量、患者Ｐの体重、シリンジ本体２０１に充填された薬剤量及び溶液量が入力された後に開始スイッチボタン４Ｃが押下されると、モータドライバ１３４を駆動して送液を開始する。
【００９４】
制御部１００は、流量が所定の上限値を超えたことが報知された後において、当該上限値がシリンジポンプ１のポンプとしての出力の限界に起因するものでない場合には、患者Ｐの体重の入力を再度受け付けることなく、薬剤の送液を開始してもよい。患者Ｐの症状に応じて、上限値を超えた流量での薬剤の送液が必要な場合があり、シリンジポンプ１のポンプとしての出力の限界を超えていない流量であれば薬剤を送液できるためである。
【００９５】
表示部３は、送液開始時及び送液開始後において、流量、送液される薬剤の予定量及び送液終了予定時間を表示する。
【００９６】
図１３は、表示部３の送液中の表示内容例を示す。流量、送液される薬剤の予定量及び送液終了予定時間が送液中に表示部３に表示されることにより、薬剤の送液が適切に行われているかを確認できる。
【００９７】
表示部３、操作パネル部４及びダイヤル１６０は、体重の入力を薬剤の送液中に受け付けることができる。体重の入力は、簡易入力モード及び詳細入力モードのいずれのモードでも行うことができる。
【００９８】
制御部１００は、表示部３、操作パネル部４及びダイヤル１６０により薬剤の送液中に入力を受け付けた体重に基づいて流量を再計算する。そして、再計算した結果に基づいて患者Ｐに送液する薬剤の流量を変更する。
【００９９】
表示部３は、再計算した流量、送液される薬剤の予定量及び送液終了予定時間を表示する。
【０１００】
制御部１００は、体重の入力を薬剤の送液中に受け付けた後において、流量を変更したが、これに限定されない。例えば、流量を変更せずに、送液終了予定時間を変更してもよい。
【０１０１】
次に、シリンジポンプ１の使用例を説明する。
【０１０２】
まず、以下の手順により薬剤ライブラリを不揮発性メモリ１０３に記憶する。
【０１０３】
図５に示すように、通信ポート１４０を介して、制御部１００とコンピュータ１４１を接続する。
【０１０４】
次に、コンピュータ１４１を操作して、薬剤データベース１５０に保存されている薬剤ライブラリを、通信ポート１４０を介して制御部１００に入力する。
【０１０５】
以上の手順によって、薬剤ライブラリが不揮発性メモリ１０３に記憶される。
【０１０６】
次に、送液に使用する際の手順を説明する。
【０１０７】
まず、図１及び図２に示すように、シリンジ２００を、シリンジポンプ１にセットする。シリンジポンプ１のセットは、クランプ５を使用して上述した方法で行う。
【０１０８】
次に、シリンジ本体２０１に充填された薬剤の種類を、表示部３の表示内容に従って操作パネル部４及びダイヤル１６０を操作して選択する。この操作により、選択された薬剤の流量（注入速度）の適正値や上限値、又は、薬剤の注入量の適正値や上限値が制御部１００に入力される。
【０１０９】
次に、体重当たりの流量を、表示部３の表示内容に従って操作パネル部４及びダイヤル１６０を操作して入力する。体重当たりの流量は、患者Ｐの状況や、手技の内容に応じて決定する。
【０１１０】
次に、患者Ｐの体重を、表示部３の表示内容に従って操作パネル部４及びダイヤル１６０を操作して入力する。
【０１１１】
緊急性の高い手技の場合、簡易入力モードを使用して患者Ｐの体重を暫定的に入力することができる。これにより、患者Ｐの体重が正確に分からない場合などにおいて、薬剤の送液を迅速に開始することができる。
【０１１２】
緊急性が低い場合や体重が正確に分かる場合には、詳細入力モードを使用することで、体重を詳細に入力できる。
【０１１３】
体重を入力した後、制御部１００は流量を計算する。計算された流量が上限を超えた場合、表示部３が警告メッセージを表示するとともに、スピーカ１３１がブザー音を発する。
【０１１４】
流量が所定の上限を超えた場合、体重を再入力する。当該上限値がシリンジポンプ１のポンプとしての出力の限界に起因するものでない場合には、体重を再入力することなく送液の手順を進めてもよい。
【０１１５】
次に、患者Ｐにチューブ２０３が接続された留置針２０４を挿入する。
【０１１６】
次に、開始スイッチボタン４Ｃを押下して、患者Ｐの体内への薬剤の送液を開始する。薬剤の送液は、体重当たりの流量、体重、薬剤量及び溶液量に基づいて計算した流量に従って行われる。
【０１１７】
表示部３には、薬剤の送液中において、流量、送液される薬剤の予定量及び送液終了時間が表示される。
【０１１８】
患者Ｐの正確な体重が判明した場合、患者Ｐの体重を薬剤の送液中に変更することができる。
【０１１９】
制御部１００は、患者Ｐの体重が薬剤の送液中に変更されると、流量を再計算する。そして、薬剤を送液する際の流量を再計算後の流量に変更する。
【０１２０】
再計算された流量が上限を超えた場合、表示部３が警告メッセージを表示するとともに、スピーカ１３１がブザー音を発する。この場合、体重を再入力する。
【０１２１】
表示部３には、流量変更後、再計算された流量、送液される薬剤の予定量及び送液終了時間が表示される。
【０１２２】
本実施形態によれば、表示部３、操作パネル部４及びダイヤル１６０が、患者Ｐの体重を特定する選択肢をユーザーに提示して体重の入力を受け付ける簡易入力モードを備えることにより、患者Ｐの体重の入力を簡易的に行うことが可能になる。このため、本実施形態によれば、緊急性の高い手技にも十分に対応可能な利便性に優れる送液ポンプを提供できる。
【０１２３】
また、本実施形態によれば、表示部３、操作パネル部４及びダイヤル１６０は、性別を区分する選択肢、年齢を区分する選択肢及び身体的特徴を区分する選択肢を提示して体重の入力を受け付ける。これにより、患者Ｐの外観的な特徴に基づいて判断可能な選択肢を選択する簡便な操作で迅速に体重を入力できるため、利便性が向上する。
【０１２４】
また、本実施形態によれば、表示部３、操作パネル部４及びダイヤル１６０は、選択肢の選択によって特定される体重について、所定の調整幅に基づいた調整を受け付ける。これにより、選択肢の選択により入力された体重を所定の調整幅ごとに調整することが可能になるため体重の入力を迅速かつ柔軟に行うことができる。
【０１２５】
また、本実施形態によれば、表示部３、操作パネル部４及びダイヤル１６０は、患者Ｐの体重の入力を薬剤の送液中に受け付ける。そして、制御部１００は、薬剤の送液中において受け付けた体重に基づいて流量を再計算し、さらに、その計算結果に基づいて薬剤を患者Ｐに送液する際の流量を変更する。これにより、患者Ｐの体重を薬剤の送液中に変更できるため、安全性及び利便性が向上する。
【０１２６】
また、本実施形態によれば、表示部３及びスピーカ１３１は、制御部１００が計算した流量が所定の上限値を超えたことを報知する。これにより、計算した流量が所定の上限を超えるような入力が防止されて安全性が向上する。
【０１２７】
また、本実施形態によれば、表示部３、操作パネル部４及びダイヤル１６０は、患者Ｐの体重を特定する数値の入力を受け付ける詳細入力モードをさらに備える。これにより、簡易的な体重の入力に加えて、詳細な体重の入力も行えるため利便性が向上する。
【０１２８】
また、本実施形態によれば、薬剤を高精度かつ長時間に亘って送液するシリンジポンプとして好適に使用することができる。
【０１２９】
＜変形例１＞
上述した実施形態では、簡易入力モードにおいて、表示部３は、性別を区分する選択肢、年齢を区分する選択肢及び身体的特徴を区分する選択肢を表示したが、選択肢の内容は適宜設定できる。
【０１３０】
例えば、図１４に示すように、性別の区分と年齢の区分の組み合わせで選択肢を表示してもよい。図１４に示す状態では、カーソル３１は、性別の区分と年齢の区分の組み合わせとして（男性，大人）を指し示している。
【０１３１】
図１４に示す状態でダイヤル１６０を近位側に回転させると、カーソル３１は（女性，大人）、（男性，子供）、そして、（女性，子供）の順に進んでいき、（男性，大人）に戻る。逆に、図１４に示す状態でダイヤル１６０を遠位側に回転させると、カーソル３１は（女性，子供）、（男性，子供）、そして、（女性，大人）の順に進んでいき、（男性，大人）に戻る。
【０１３２】
選択肢の選択により特定される体重の値は適宜設定できる。図１４に示す例では、図１０に例示した表において、身長の区分が「中」及び体型の区分が「普通」の場合の体重を使用している。例えば、（男性，大人）を選択することにより特定される体重は、性別の区分が「男性」及び年齢の区分が「大人」かつ身長の区分が「中」及び体型の区分が「普通」の場合の体重である。
【０１３３】
表示部３を上述したように構成することにより、患者Ｐの外観的な特徴に基づいて判断可能な選択肢を選択する際の操作を簡略化できる。これにより、より迅速に体重を入力できるため、特に緊急性の高い手技における利便性がさらに向上する。
【０１３４】
＜変形例２＞
また、表示部３は、簡易入力モードにおいて、体重の候補をそれぞれ示す複数の数値を選択肢として表示してもよい。
【０１３５】
図１５（Ａ）及び（Ｂ）は、選択肢として体重の候補をそれぞれ示す複数の数値を表示した際の表示部３の表示内容例を示す。図１５（Ａ）に示す状態でダイヤル１６０を近位側に回転させると、カーソル３１が図１５（Ｂ）に示すように下方の選択肢に移動していき、体重の候補を選択することができる。
【０１３６】
このとき、カーソル３１が最後の選択肢に到達した状態で、さらにダイヤル１６０を近位側に回転させると、カーソル３１は最初の選択肢に戻る。逆に、カーソル３１が最初の選択肢を指し示している状態で、ダイヤル１６０を遠位側に回転させると、カーソル３１は最初の選択肢に戻る。これにより、特に選択肢が多い場合に、カーソル３１を高速に移動して選択肢を選択することが可能になる。
【０１３７】
選択肢の選択により特定される体重は適宜設定できる。図１５に示す例では、例えば、体重の候補として６１ｋｇ〜８０ｋｇを選択した場合、患者Ｐの体重は７０ｋｇとして入力される。
【０１３８】
表示部３を上述したように構成することにより、体重を示す数値を選択する簡便な操作で迅速に体重を入力できるため、利便性が向上する。
【０１３９】
以上、本願発明に係る送液ポンプを実施形態及び各変形例を通じて説明したが、本願発明に係る送液ポンプはこれらの構成のみに限定されるものではなく、特許請求の範囲の記載に基づいて種々改変することが可能である。
【０１４０】
例えば、実施形態及びその変形例では、選択肢を文字で表示したが、視覚的に識別可能なアイコンに置き換えて表示してもよいし、性別、年齢、身体的特徴を現すシルエット図形で表示してもよい。これにより、患者Ｐの体重を特定する選択肢の選択を迅速に行うことができる。
【０１４１】
なお、上述した実施形態及び変形例では、表示部３、操作パネル部４及びダイヤル１６０により患者Ｐの体重の入力を受け付けたが、入力部は患者Ｐの体重を特定する選択肢をユーザーに提示して体重の入力を受け付けることができるように構成されている限りにおいて、変更することができる。例えば、表示部３にタッチパネルを使用し、表示部３に選択肢を表示するとともに、選択肢の選択も表示部３を操作して行うように構成できる。
【０１４２】
また、上述した実施形態及び変形例では、シリンジポンプに本願発明を適用した場合を説明したが、それに限定されない。本願発明は、薬剤の送液量を調整可能な輸液ポンプなどの医療用の送液ポンプに広く適用することが可能である。
【符号の説明】
【０１４３】
１  シリンジポンプ、
２  本体カバー、
２Ａ  本体カバーの上部分、
２Ｂ  本体カバーの下部分、
３  表示部、
４  操作パネル部、
５  クランプ、
６  シリンジ設定部、
７  シリンジ押子駆動部、
８  収容部、
９  チューブ固定部、
３１  カーソル、
１００  制御部、
１０３  不揮発性メモリ、
１３１  スピーカ、
１６０  ダイヤル、
２００、３００、４００  シリンジ、
２０１、３０１、４０１  シリンジ本体、
２０２、３０２、４０２  シリンジ押子、
Ｐ  患者。
【図１】
2015181555.tif 000003
【図２】
2015181555.tif 000004
【図３】
2015181555.tif 000005
【図４】
2015181555.tif 000006
【図５】
2015181555.tif 000007
【図６】
2015181555.tif 000008
【図７】
2015181555.tif 000009
【図８】
2015181555.tif 000010
【図９】
2015181555.tif 000011
【図１０】
2015181555.tif 000012
【図１１】
2015181555.tif 000013
【図１２】
2015181555.tif 000014
【図１３】
2015181555.tif 000015
【図１４】
2015181555.tif 000016
【図１５】
2015181555.tif 000017